(57)【要約】【課題】  本発明は、料金式の精米設備の各種装置を制御するのに必要な多くの電装品を効率的に配置し、コンパクトな精米設備にすることを課題とすることを課題とする。【解決手段】  箱体（Ｈ）の内部に玄米を精米する精米機（５）等の装置を備え、料金を投入して玄米を精米処理する精米設備において、箱体（Ｈ）内部の上部に前記装置各部を制御する各種電装品からなる電装部を備え、箱体（Ｈ）の正面側には精米機（５）に対向する位置に設けた本体開閉扉（３０）と、電装部に対向する位置に設けた電装部開閉扉（３２）とを設け、本体開閉扉（３０）と電装部開閉扉（３２）は別個に開閉動作可能としたことを特徴とする。【選択図】  図４
2012040525.tif 000002
【特許請求の範囲】
【請求項１】
箱体（Ｈ）の内部に玄米を精米する精米機（５）等の装置を備え、料金を投入して玄米を精米処理する精米設備において、箱体（Ｈ）内部の上部に前記装置各部を制御する各種電装品からなる電装部を備え、箱体（Ｈ）の正面側には精米機（５）に対向する位置に設けた本体開閉扉（３０）と、電装部に対向する位置に設けた電装部開閉扉（３２）とを設け、本体開閉扉（３０）と電装部開閉扉（３２）は別個に開閉動作可能としたことを特徴とする精米設備。
【請求項２】
電装部は箱体（Ｈ）側に取り付ける第一電装部（５０）と、電装部開閉扉（３２）の裏面に取り付ける第二電装部（５１）とを設けたことを特徴とする請求項１記載の精米設備。
【請求項３】
電装部開閉扉（３２）を閉じたときに第一電装部（５０）と、第二電装部（５１）は対向する位置になることを特徴とする請求項２記載の精米設備。
【発明の詳細な説明】
【技術分野】
【０００１】
本発明は、利用者が持参した籾や玄米等の穀物を精米処理する精米設備に関する。
【背景技術】
【０００２】
特許文献１や特許文献２では、利用者が持参した玄米を精米する精米設備が開示されている。
【先行技術文献】
【特許文献】
【０００３】
【特許文献１】特開２００３−２６５９７２
【発明の概要】
【発明が解決しようとする課題】
【０００４】
このタイプの精米設備について精米機や石抜機や昇降機等複数の装置を駆動制御するのに多くの電装品を使用する。本発明はこれら多くの電装品を効率的に配置し、コンパクトな精米設備にすることを課題とする。
【課題を解決するための手段】
【０００５】
この発明は、かかる技術的課題を解決するために次のような技術的手段を構成した。すなわち、請求項１の発明では、箱体（Ｈ）の内部に玄米を精米する精米機（５）等の装置を備え、料金を投入して玄米を精米処理する精米設備において、箱体（Ｈ）内部の上部に前記装置各部を制御する各種電装品からなる電装部を備え、箱体（Ｈ）の正面側には精米機（５）に対向する位置に設けた本体開閉扉（３０）と、電装部に対向する位置に設けた電装部開閉扉（３２）とを設け、本体開閉扉（３０）と電装部開閉扉（３２）は別個に開閉動作可能としたことを特徴とする精米設備とする。
【０００６】
請求項２の発明では、電装部は箱体（Ｈ）側に取り付ける第一電装部（５０）と、電装部開閉扉（３２）の裏面に取り付ける第二電装部（５１）とを設けたことを特徴とする請求項１記載の精米設備とする。
【０００７】
請求項３の発明では、電装部開閉扉（３２）を閉じたときに第一電装部（５０）と、第二電装部（５１）は対向する位置になることを特徴とする請求項２記載の精米設備とする。
【発明の効果】
【０００８】
請求項１記載の発明では、精米機のメンテナンスのように電装部を調整する必要が無いときは本体開閉扉３０だけを開ければ良く、不要に電装品を外側に露出させることがなく、特に雨天のときに電装部開閉扉３２開かないで精米室の点検を行なうことができ、電装品が濡れるのを防止できる。
【０００９】
請求項２記載の発明では、電装部開閉扉３２の裏面のスペースを利用することで、電装品を配置しやすくすることができる。また、電装部開閉扉３２を開いたときに電装部開閉扉３２の裏面の第二電装部５１と箱体Ｈ内の第一電装部５０とが共に同じ高さで露出するため、管理者はいずれの電装部をも目視し易く、また点検・操作し易い。
【００１０】
請求項３記載の発明では、第一電装部５０と第二電装部５１とを隣接して設けることができるため、この二つの電装部に跨って接続する配線等を設置し易くする事ができる。
【図面の簡単な説明】
【００１１】
【図１】精米設備の外観正面図
【図２】精米設備の外観正面図
【図３】精米設備の平面図
【図４】精米設備の開閉扉を開いた状態を示す図
【図５】側面から見た精米設備の内部を示す図
【図６】側面から見た精米設備の内部を示す図
【図７】精米設備の作業工程図
【図８】フローチャート
【図９】ブロック図
【発明を実施するための形態】
【００１２】
本発明の精米設備の構成について説明する。
左右に長い直方体形状の箱体Ｈの内部の左右一側に玄米を投入する投入ホッパ１を設け、投入ホッパ１の下方には石抜機２を設け、石抜機２の側方には昇降機３を設け、昇降機３の投げ口の下方には玄米ホッパ４を設け、玄米ホッパ４の下方には精米機５を設け、精米機５の排出口側には白米ホッパ６を設ける構成である。
【００１３】
投入ホッパ１の上方には精米機５を備える精米室Ｓとの間を仕切る第一仕切壁１０と、箱体Ｈの天井部と投入ホッパ１の上方の空間とを仕切る上部仕切壁１１とで玄米投入室Ｇを形成する。
【００１４】
投入ホッパ１の下部には玄米の有無を検出する玄米センサ１２を設け、投入ホッパ１の下端部には玄米を排出する開口部１３を形成する。石抜機２は、後側に下がり傾斜に配置し多数の通風孔を形成する揺動選別板１４と、送風ファン１５とを設け、投入ホッパ１の開口部１３は揺動選別板１４の上方に対向する構成としている。また、投入ホッパ１の傾斜部には投入ホッパ１を振動させる振動装置１６を設けている。
【００１５】
揺動選別板１４の上流側には石及び残米を排出する石抜シャッタ４１と、石を石貯留箱４０に排出する石排出筒１７と、残米を排出する残米排出筒１８と、石排出筒１７と残米排出筒１８を切り換える切換弁４２を設け、揺動選別板１４の下流側には玄米を昇降機３に排出する玄米排出筒１９を設けている。
【００１６】
昇降機３の下部には玄米を受ける受口があり、その前側下部には残米排出筒１８と連通する残米受口２１を設け、後側下部には玄米排出筒１９と連通する玄米受口２２を設ける。昇降機３の上部は玄米ホッパ４と連通し、玄米ホッパ４の下部には精米機５に玄米を供給するロータリバルブ４ａを設ける。
【００１７】
精米機５は前側に排出筒２３、後側に供給筒２４を設ける前下がり傾斜の構成とし、排出筒２３の下方に白米ホッパ６を設け、白米ホッパ６の下部に開閉シャッタ２５を設ける構成である。精米機５の下方には糠ファン２６を設け、糠ファン２６とサイクロン２７とを糠搬送筒２８で接続する構成である。
【００１８】
精米機５とサイクロン２７との間には第二仕切壁２９を配置し、サイクロン２７を備える糠収容室Ｎと、精米機５を備える精米室Ｓとを仕切っている。そのため、第一仕切壁１０で玄米投入室Ｇと精米室Ｓとを仕切り、第二仕切壁２９で精米室Ｓと糠収容室Ｎとを仕切り、玄米投入室Ｇと精米室Ｓと糠収容室Ｎとを左右方向に並列して配置する構成である。
【００１９】
第二仕切壁２９には通風孔を兼ねたフィルタＦを設け、糠ファン２９で送風作用により精米室Ｓ内が負圧になるのを糠収容室Ｎの空気を精米室Ｓに戻すことで、精米室Ｓが負圧になることを防止する共に、フィルタＦにより糠収容室Ｎの糠が精米室に入り込むことができる。
【００２０】
次に箱体Ｈの前側を覆う開閉扉の構成について説明する。
本実施の形態の開閉扉は玄米投入室Ｇと精米室Ｓの正面側を覆う本体開閉扉３０と、糠収容室Ｎの正面側を覆う糠収容室開閉扉３１と、本体開閉扉３０と糠収容室開閉扉３１の上方で、玄米投入室Ｇの上方と精米室Ｓの上部と糠収容室Ｎの上部に跨って覆う電装部開閉扉３２を設けている。
【００２１】
本体開閉扉３０は箱体１の左右一側の壁部側に設けるヒンジ３３により縦軸芯周りに回動する。そして、開放すると玄米投入室Ｇと精米室Ｓが露出する構成である。本体開閉扉３０には、操作盤４５と料金投入口４６を設けている。操作盤４５は精白度を選択する精白度選択スイッチ４７と、精米作業の進行状態を知らせる精米作業進行表示ランプ４８を設けている。
【００２２】
また、本体開閉扉３０の開閉とは別個に開閉する玄米投入開閉扉３４を設けている。玄米投入開閉扉３４は本体開閉扉３０の中央部に設けるヒンジ３５により縦軸芯周りに回動する。玄米投入開閉扉３４は玄米投入室Ｇの正面側に設け、玄米投入開閉扉３４を開放すると玄米投入室Ｇが露出して利用者が玄米を投入ホッパ１に投入できる。なお、玄米投入開閉扉３４にはロック入り・解除を操作するロック機構Ｒと、玄米投入室Ｇ及び投入ホッパ１内を外側から視認できる透明窓３６を設けている。
【００２３】
また、本体開閉扉３０には、本体開閉扉３０の開閉とは別個に開閉する白米取出開閉扉３７を設けている。白米取出開閉扉３７は本体開閉扉３０の中央部に設けるヒンジ３８により縦軸芯周りに回動する。白米取出開閉扉３７は白米ホッパ６の開閉シャッタ２５の正面側に設け、利用者が白米取出開閉扉３７を開放すると開閉シャッタ２５が露出して開閉シャッタ２５の開閉操作を行なえる。また、白米取出開閉扉３７には外側から開閉シャッタ２５を視認できる透明窓３９を設けている。
【００２４】
精米設備の管理者が本体開閉扉３０を回動すると、玄米投入開閉扉３４と白米取出開閉扉３７も共に本体開閉扉３０と共に移動し、玄米投入室Ｇと精米室Ｓとが露出し、メンテナンスを行なうことができる構成である。
【００２５】
糠収容室開閉扉３１は箱体Ｈの左右他側の壁部側に設けるヒンジ４４により縦軸芯周りに回動する。そして、開放すると糠収容室Ｎが露出する構成である。本体開閉扉３０と糠収容室開閉扉３１とは観音扉状に開閉する構成である。
【００２６】
利用者が玄米投入時に玄米投入開閉扉３４を開くときには箱体Ｈの正面側に向かって開く。すなわち箱体Ｈの左右外側にはみ出ないため、箱体Ｈに隣接して別の装置・建屋等が設置している場合に玄米投入開閉扉３４が当該別の装置に当接することを防止し、狭いスペースで箱体を設置することができる。
【００２７】
また、白米取出開閉扉３７は玄米投入開閉扉３４側に向かって開くため、白米取り出し時に糠収容室開閉扉３１の前側を覆って糠収容室開閉扉３１の開閉を邪魔をせず、白米取出しと糠取出しを並行して行なうことができる。
【００２８】
玄米投入開閉扉３４が開放状態となると操作盤４５の前側を覆う構成となる（図２参照）。即ち、利用者は玄米投入開閉扉３４を閉めないと操作盤４５の操作ができないので、玄米を投入後、自然に玄米投入開閉扉３４を閉めるように仕向けることができる扉の構成である。また、開放状態となり操作盤４５の前側を覆うと透明窓３６が精白度選択スイッチ４７の前側を覆い、利用者が透明窓３６から精白度選択スイッチ４７のランプが点灯していないのを見て玄米投入開閉扉３４を閉める必要があることを想起させるものである。
【００２９】
玄米投入開閉扉３４の下部の開閉軌跡と白米取出開閉扉３７の上部の開閉軌跡はラップしている。そのため、玄米投入開閉扉３４を開くときには白米取出開閉扉３７が閉まってないと白米取出開閉扉３７に当接するため、玄米の投入時、玄米投入後の精米運転開始時には白米取出開閉扉は閉じ姿勢になる。そのため、白米を取出すときはまず、白米取出開閉扉３７を開いてから開閉シャッタ２５を操作することになり、いきなり開閉シャッタ２５を操作することによる誤操作による白米の誤排出を防止することができる。
【００３０】
次に電装部開閉扉に関する内容を以下説明する。
電装部とは、ブレーカや制御盤等の電装品に関するものである。
本実施の形態の電装部は、箱体内部の上部に設ける第一電装部５０と、電装部開閉扉３２の裏面に設ける第二電装部５１と、本体開閉扉３０の操作盤４５の裏面に設ける第三電装部５２それぞれに、各種電装品を集中して設けている。
【００３１】
第一電装部５０は箱体Ｈ内の側壁や天井に支持される第一電装部取付板５０ａに各種電装品を取りつけ、第二電装部５１は電装部開閉扉３２の裏面に支持される第二電装部取付板５１ａに各種電装品を取り付ける。第二電装部５１の糠回収室側に防糠用の仕切板５１ｂを設け、糠収容室Ｎの糠が電装部に入り込まないようにしている。
【００３２】
本体開閉扉３０の裏面には投入した料金を溜める金庫６０を設けている。電装部開閉扉３２は本体開閉扉３０と同じ方向に縦軸芯周りに開閉する構成である。
第一電装部５０と第二電装部５１は電装部開閉扉３２を閉じている状態の時には対向する位置にあり、電装部開閉扉３２を開放すると第一電装部５０と第二電装部５１はどちらも箱体Ｈ外側に向かって露出する。
【００３３】
そのため、管理者が電装部開閉扉３２を開放すると、第一電装部５０と第二電装部５１の両方が同時に露出するため、管理者は電装部品の点検がしやすい。また、狭いスペースに集中して電装部品を配置できる。また、本体開閉扉３０に取り付ける電装部品を少なくすることができるため、例えば金庫のお金を取出す作業のみを行なう場合に、電装部開閉扉３２を開ける必要が無く、その分本体開閉扉３０を開閉操作しやすくすることができる。
【００３４】
また、電装部品全体の点検を行なうときには、本体開閉扉３０と電装部開閉扉３２を開くと第一電装部５０と第二電装部５１と第三電装部５２のいずれもが露出するため、管理者は電装部の点検・調整をしやすくすることができる。また、精米機５や石抜機２のメンテナンス時に電装部開閉扉３２の位置が高いため、電装部開閉扉３２が開いているときでも管理者が誤って第一電装部５０や第二電装部５１に当接して破損等をすることを防止することができる。また、特に雨天のときに電装部開閉扉３２開かないで精米室の点検を行なうことができ、電装品が濡れるのを防止できる。
【００３５】
なお、本実施の形態では第一電装部５０は主としてブレーカを設ける。第二電装部５１は主として手動で精米機５や石抜機２等の各装置を点検用に単独で動作・停止するためのスイッチ群を設ける。第二電装部５１は電装部開閉扉３２の裏面に設けるため、管理者は装置の状態を見ながら動作・停止の操作がし易い。第三電装部５２は主として操作盤４５面の精白度選択スイッチ４７や精米作業進行表示ランプ４８を点灯させるための配線類である。
【００３６】
電装部開閉扉３２の正面には看板Ｋを設けている。本実施の形態の看板は電飾看板で、第二電装部５１から配線されている。電装部開閉扉３２が玄米投入室Ｇと精米室Ｓと糠収容室Ｎに跨って構成することで精米設備の左右幅全体にわたって看板Ｋを構成することができ、外観の目立つ看板に構成できると共に、看板の電装品のメンテナンスもしやすい。
【００３７】
次に、精米運転の概要について説明する。
利用者は料金を料金投入口４６に投入すると、玄米投入開閉扉３４のロック機構Ｒが解除され、玄米投入開閉扉３４を開放することができる。利用者は持参した玄米を玄米投入室Ｇから投入ホッパ１内に投入し、玄米投入開閉扉３４を閉じる。玄米投入開閉扉３４が閉じたことを検出すると、自動的にロック機構Ｒが作動して玄米投入開閉扉３４がロックされる。
【００３８】
玄米投入開閉扉３４がロックされると精白度選択スイッチ４６が点灯し、利用者は所望の精白度を選択できる。精白度選択スイッチ４６を選択操作すると、精米運転は開始され、投入した料金に対応する運転時間精米運転を行なう。
【００３９】
投入ホッパ１内の玄米は順次開口部から石抜機２の揺動選別板１４上に落下供給される。そして、玄米は揺動選別板１４上を流下して玄米排出筒１９を経て昇降機３に供給される。一方、石は揺動選別板１４上を揺れ上げられ上流側に堆積する。
【００４０】
石抜き処理を経た玄米は昇降機３で揚穀され、玄米ホッパ４に供給され、一時貯留される。玄米ホッパ４内で貯留された玄米は玄米タンク４の下部に設けるロータリバルブ４ａで一定量ずつ精米機５に供給され、精米機５で精米処理され、精白米として白米ホッパ６に排出される。精米機５で精米処理されて発生した糠は糠ファン２６で糠搬送筒２８を搬送されサイクロン２７で空気と糠とに分離して糠収容室Ｎに収容される。
【００４１】
白米ホッパ６に貯留された精白米を、利用者が白米取出開閉扉３７を開いて開閉シャッタ２５を開操作することで例えば持参した袋に取出す。
精米運転時間中に投入ホッパ１の玄米センサ１２が穀物無しを検出すると終了動作工程を行なう。終了動作工程とは石抜機２で選別した石を排出し、石抜機２の残米を昇降機３に供給して最後の玄米を精米処理する工程のことである。
【００４２】
終了動作工程についてさらに詳細に述べると、玄米センサ１２が穀物無しを検出すると、まず、振動装置１６が設定時間（例えば５秒）振動し、投入ホッパ１内を振動させて玄米が残留しないようにする。次に、揺動選別板１４が駆動している状態で石抜シャッタ４１を開き、かつ、切換弁４２を石排出筒１７側に短時間（例えば２秒）切り換え、石抜シャッタ４１近傍に堆積している石を石貯留箱４２に回収する。ついで、切換弁４２を残米排出筒１８側に切り換え、揺動選別板１４上の残米を残米排出筒１８を経て昇降機３に供給する。そして、最後の玄米を精米機５で精米処理し、終了動作工程が始まってから設定時間（例えば３０秒）が経過すると全ての玄米の精米処理が終了したと看做して精米機を始め装置各部も停止して運転を終了する。
【００４３】
投入した料金に対応する運転時間が経過したときに玄米センサ１２が穀物有りを検出していると、終了動作工程を行なわずに装置各部を即停止する。利用者は追加料金を投入すると精米運転が再開し、以後玄米が無くなるか、運転時間が経過するかいずれかまで前述と同様に精米運転がなされる。
【産業上の利用可能性】
【００４４】
本実施の形態の精米設備は本体開閉扉３０と糠収容室開閉扉３１を別々に構成しているが、本体開閉扉３０で玄米投入室Ｇと精米室Ｓと糠収容室Ｎの正面側を覆う構成にしても良い。
【符号の説明】
【００４５】
５    精米機
３０  本体開閉扉
３２  電装部開閉扉
５０  第一電装部
５１  第二電装部
Ｈ    箱体
【図１】
2012040525.tif 000003
【図２】
2012040525.tif 000004
【図３】
2012040525.tif 000005
【図４】
2012040525.tif 000006
【図５】
2012040525.tif 000007
【図６】
2012040525.tif 000008
【図７】
2012040525.tif 000009
【図８】
2012040525.tif 000010
【図９】
2012040525.tif 000011